(57)【特許請求の範囲】
【請求項１】
電子機器であって、
ＩＣチップと通信して、当該ＩＣチップ内の情報を取得する通信部と、
現在時刻、現在日付、前記電子機器の現在位置及びユーザに関するユーザ情報の少なくとも一つと、前記通信部が取得した取得情報と、に基づいて処理を行う制御部と
を備え、
前記制御部は、前記通信部が前記ＩＣチップと通信できなくなったとき、前記取得情報を破棄する、電子機器。
【請求項２】
請求項１に記載の電子機器であって、
前記制御部は、前記通信部が前記ＩＣチップと通信できなくなったとき、前記取得情報と、前記処理において前記取得情報に基づいて生成した第１情報とを破棄する、電子機器。
【請求項３】
請求項１及び請求項２のいずれか一つに記載の電子機器であって、
前記制御部は、前記処理において、前記現在位置あるいは前記ユーザ情報に含まれる位置から、前記取得情報に含まれる位置までの経路を表示部に表示させる、電子機器。
【請求項４】
請求項１及び請求項２のいずれか一つに記載の電子機器であって、
前記制御部は、前記処理において、前記現在時刻から前記取得情報に含まれる時刻までの時間、あるいは現在日付から前記取得情報に含まれる日付までの時間を表示部に表示させる、電子機器。
【請求項５】
電子機器であって、
ＩＣチップと通信して、当該ＩＣチップ内の情報を取得する通信部と、
現在時刻、現在日付、前記電子機器の現在位置及びユーザに関するユーザ情報の少なくとも一つに基づいて、前記通信部が取得した取得情報から使用対象情報を選択し、選択した当該使用対象情報に基づいて処理を行う制御部と
を備え、
前記制御部は、前記通信部が前記ＩＣチップと通信できなくなったとき、前記取得情報を破棄する、電子機器。
【請求項６】
請求項５に記載の電子機器であって、
前記ユーザ情報は、前記ユーザの住所、年齢及び性別の少なくとも一つを含み、
前記制御部は、前記ユーザ情報に基づいて、前記取得情報から前記使用対象情報を選択する、電子機器。
【請求項７】
請求項５に記載の電子機器であって、
前記制御部は、前記取得情報に含まれる複数の第１の位置のうち、前記現在位置である第２の位置に最も近い第１の位置を前記使用対象情報とする、電子機器。
【請求項８】
請求項５に記載の電子機器であって、
前記制御部は、前記取得情報に含まれる複数の第１の位置のうち、前記ユーザ情報に含まれる第２の位置に最も近い第１の位置を前記使用対象情報とする、電子機器。
【請求項９】
請求項７及び請求項８のいずれか一つに記載の電子機器であって、
前記制御部は、前記処理において、前記第２の位置に最も近い前記第１の位置を表示部に表示させる、電子機器。
【請求項１０】
請求項９に記載の電子機器であって、
前記制御部は、前記処理において、前記第２の位置から、前記第２の位置に最も近い前記第１の位置までの経路を前記表示部に表示させる、電子機器。
【請求項１１】
請求項５に記載の電子機器であって、
前記制御部は、前記取得情報に含まれる複数の第２情報のうち、前記現在時刻及び前記現在日付の少なくとも一方に応じた第２情報を前記使用対象情報とする、電子機器。
【請求項１２】
請求項１１に記載の電子機器であって、
前記制御部は、前記処理において、前記現在時刻及び前記現在日付の少なくとも一方に応じた前記第２情報を表示部に表示させる、電子機器。
【請求項１３】
請求項１乃至請求項１２のいずれか一つに記載の電子機器であって、
前記制御部は、前記取得情報のうち、ユーザが指定する第３情報を記憶し、
前記制御部は、前記通信部が前記ＩＣチップと通信できなくなった場合であっても、前記第３情報を破棄しない、電子機器。
【請求項１４】
請求項１乃至請求項１３のいずれか一つに記載の電子機器であって、
前記制御部は、所定のアプリケーションにおいて、前記取得情報に基づいて前記処理を行い、
前記制御部は、前記通信部が前記ＩＣチップと通信できる場合であっても、前記所定のアプリケーションが終了するときに前記取得情報を破棄する、電子機器。
【請求項１５】
請求項１乃至請求項１４のいずれか一つに記載の電子機器であって、
前記ＩＣチップを備えるシールが前記電子機器に貼り付けられる、電子機器。
【請求項１６】
ＩＣチップと通信する電子機器が備える、当該電子機器の動作を制御する制御装置であって、
現在時刻、現在日付、前記電子機器の現在位置及びユーザに関するユーザ情報の少なくとも一つと、前記電子機器が前記ＩＣチップから取得した取得情報と、に基づいて処理を行い、前記電子機器が前記ＩＣチップと通信できなくなったとき前記取得情報を破棄する、制御装置。
【請求項１７】
電子機器を制御するための制御プログラムであって、
前記電子機器に、
（ａ）ＩＣチップと通信して、当該ＩＣチップ内の情報を取得する工程と、
（ｂ）現在時刻、現在日付、前記電子機器の現在位置及びユーザに関するユーザ情報の少なくとも一つと、工程（ａ）で取得された取得情報と、に基づいて処理を行う工程と、
（ｃ）前記ＩＣチップと通信できなくなったとき、前記取得情報を破棄する工程と
を実行させるための制御プログラム。
【請求項１８】
電子機器の動作方法であって、
（ａ）ＩＣチップと通信して、当該ＩＣチップ内の情報を取得する工程と、
（ｂ）現在時刻、現在日付、前記電子機器の現在位置及びユーザに関するユーザ情報の少なくとも一つと、工程（ａ）で取得された取得情報と、に基づいて処理を行う工程と、
（ｃ）前記ＩＣチップと通信できなくなったとき、前記取得情報を破棄する工程と
を備える、電子機器の動作方法。
【発明の詳細な説明】
【技術分野】
【０００１】
本開示は、電子機器に関する。
【背景技術】
【０００２】
特許文献１にも記載されているように、従来から電子機器に関して様々な技術が提案されている。
【先行技術文献】
【特許文献】
【０００３】
【特許文献１】特開２０１１−４３９５３号公報
【発明の概要】
【発明が解決しようとする課題】
【０００４】
電子機器の記憶容量については有効利用できることが望まれる。
【０００５】
そこで、本発明は、電子機器の記憶容量を有効利用することが可能な技術を提供することを目的とする。
【課題を解決するための手段】
【０００６】
電子機器、制御装置、制御プログラム及び電子機器の動作方法が開示される。一の実施の形態では、電子機器は通信部及び制御部を備える。通信部は、ＩＣチップと通信して、当該ＩＣチップ内の情報を取得する。制御部は、通信部が取得した取得情報に基づいて処理を行う。制御部は、通信部がＩＣチップと通信できなくなったとき、取得情報を破棄する。
【０００７】
また、一の実施の形態では、制御装置は、ＩＣチップと通信する電子機器が備え、当該電子機器の動作を制御する。制御装置は、電子機器がＩＣチップから取得した取得情報に基づいて処理を行う。制御装置は、電子機器がＩＣチップと通信できなくなったとき前記取得情報を破棄する。
【０００８】
また、一の実施の形態では、制御プログラムは、電子機器を制御するための制御プログラムである。制御プログラムは、電子機器に、（ａ）ＩＣチップと通信して、当該ＩＣチップ内の情報を取得する工程と、（ｂ）工程（ａ）で取得された取得情報に基づいて処理を行う工程と、（ｃ）前記ＩＣチップと通信できなくなったとき、前記取得情報を破棄する工程とを実行させるためのものである。
【０００９】
また、一の実施の形態では、電子機器の動作方法は、（ａ）ＩＣチップと通信して、当該ＩＣチップ内の情報を取得する工程と、（ｂ）工程（ａ）で取得された取得情報に基づいて処理を行う工程と、（ｃ）前記ＩＣチップと通信できなくなったとき、前記取得情報を破棄する工程とを備える。
【発明の効果】
【００１０】
電子機器の記憶容量を有効利用することができる。
【図面の簡単な説明】
【００１１】
【図１】電子機器システムの構成を示す図である。
【図２】電子機器の外観を示す斜視図である。
【図３】電子機器の外観を示す背面図である。
【図４】電子機器の構成を示すブロック図である。
【図５】電子機器と通信装置の外観を示す斜視図である。
【図６】電子機器及び通信装置を持つユーザが電子機器を操作する様子の一例を示す図である。
【図７】電子機器の動作を示すフローチャートである。
【図８】広告宣伝媒体として機能する通信装置を示す図である。
【図９】ＩＣチップ内に記憶される情報の一例を示す図である。
【図１０】セール情報を示す図である。
【図１１】電子機器の表示例を示す図である。
【図１２】電子機器の表示例を示す図である。
【図１３】電子機器の表示例を示す図である。
【図１４】電子機器の表示例を示す図である。
【図１５】電子機器の表示例を示す図である。
【図１６】電子機器の表示例を示す図である。
【図１７】電子機器の表示例を示す図である。
【図１８】電子機器の表示例を示す図である。
【図１９】チケットとして機能する通信装置を示す図である。
【図２０】チケットとして機能する通信装置を示す図である。
【図２１】ＩＣチップ内に記憶される情報の一例を示す図である。
【図２２】イベント情報を示す図である。
【図２３】電子機器の表示例を示す図である。
【図２４】電子機器の表示例を示す図である。
【図２５】電子機器の表示例を示す図である。
【図２６】電子機器の表示例を示す図である。
【図２７】電子機器の表示例を示す図である。
【図２８】電子機器の表示例を示す図である。
【図２９】電子機器の表示例を示す図である。
【図３０】電子機器の表示例を示す図である。
【図３１】電子書籍として機能する通信装置を示す図である。
【図３２】ＩＣチップ内に記憶される情報の一例を示す図である。
【図３３】電子機器の表示例を示す図である。
【図３４】電子機器の表示例を示す図である。
【図３５】電子機器の表示例を示す図である。
【図３６】電子機器の表示例を示す図である。
【図３７】名刺として機能する通信装置の構成を示す図である。
【図３８】電子機器の表示例を示す図である。
【発明を実施するための形態】
【００１２】
図１は電子機器システム３の構成を示す図である。図１に示されるように、電子機器システム３は、電子機器１と、当該電子機器１と無線通信を行う通信装置２とを備える。電子機器１は、例えば、スマートフォン等の携帯電話機である。
【００１３】
通信装置２は、ＩＣチップ２０と、ＩＣチップ２０に接続されたアンテナ２１とを備えている。通信装置２の外装形状は、例えばカード型であって、通信装置２はＩＣカードと呼ばれる。「ＩＣ」は、Integrated Circuitの略語である。
【００１４】
ＩＣチップ２０は、アンテナ２１を用いて、電子機器１と近距離無線通信を行う。ＩＣチップ２０は、電子機器１との間で、例えばＮＦＣ(Near Field Communication)に応じた無線通信を行う。アンテナ２１は例えばコイルで構成されている。電子機器１は、リーダとして機能し、ＩＣチップ２０が記憶している各種情報を当該ＩＣチップ２０から読み出す。なお、ＩＣチップ２０と電子機器１との間の通信規格はＮＦＣ以外であっても良い。
【００１５】
図２及び３は電子機器１の外観を示す斜視図及び背面図である。図２及び３に示されるように、電子機器１は、平面視で例えば略長方形の板状の機器ケース１０を備えている。機器ケース１０は電子機器１の外装を構成している。電子機器１の前面１ａ、つまり機器ケース１０の前面には、文字、記号、図形等の各種情報が表示される表示領域１１が設けられている。表示領域１１の背面側には後述するタッチパネル２２０が設けられている。これにより、ユーザは、電子機器１の前面１ａの表示領域１１を指等で操作することによって、電子機器１に対して各種情報を入力することができる。なお、ユーザは、指以外の操作子、例えば、スタイラスペンなどのタッチパネル用ペンで表示領域１１を操作することによっても、電子機器１に対して各種情報を入力することができる。
【００１６】
電子機器１の前面１ａ（機器ケース１０の前面）の上側端部にはレシーバ穴１２が設けられている。電子機器１の背面１ｂの下側端部にはスピーカ穴１３が設けられている。電子機器１の下側側面１ｃにはマイク穴１４が設けられている。
【００１７】
電子機器１の前面１ａの上側端部からは、後述する第１カメラ２００が有するレンズ２０１が視認可能となっている。図３に示されるように、電子機器１の背面１ｂの上側端部からは、後述する第２カメラ２１０が有するレンズ２１１が視認可能となっている。
【００１８】
電子機器１の前面１ａの下側端部には、複数の操作ボタン１５，１６，１７を含む操作ボタン群１８が設けられている。操作ボタン１５，１６，１７のそれぞれはハードウェアボタンである。具体的には、操作ボタン１５，１６，１７のそれぞれは押しボタンである。なお、操作ボタン１５，１６，１７は、表示領域１１に表示されるソウフトウェアボタンであっても良い。
【００１９】
操作ボタン１５は、例えばバックボタンである。バックボタンは、表示領域１１の表示を一つ前の表示に切り替えるための操作ボタンである。ユーザが操作ボタン１５を操作することよって、表示領域１１の表示が一つ前の表示に切り替わる。
【００２０】
操作ボタン１６は、例えばホームボタンである。ホームボタンは、表示領域１１にホーム画面を表示させるための操作ボタンである。ユーザが操作ボタン１６を操作することよって、表示領域１１にホーム画面が表示される。
【００２１】
操作ボタン１７は、例えば履歴ボタンである。履歴ボタンは、電子機器１で実行されたアプリケーションの履歴を表示領域１１に表示させるための操作ボタンである。ユーザが操作ボタン１７を操作することよって、表示領域１１には、電子機器１で実行されたアプリケーションの履歴が表示される。
【００２２】
＜電子機器の電気的構成＞
図４は電子機器１の電気的構成を主に示すブロック図である。図４に示されるように、電子機器１には、制御部１００、無線通信部１１０、近距離無線通信部１２０、無線ＬＡＮ通信部１３０、ＧＰＳ受信機１４０、表示部１６０及び操作ボタン群１８が設けられている。さらに電子機器１には、レシーバ１７０、スピーカ１８０、マイク１９０、第１カメラ２００、第２カメラ２１０、タッチパネル２２０及び電池２３０が設けられている。電子機器１に設けられたこれらの構成要素は、機器ケース１０内に収められている。
【００２３】
制御部１００は、一種の演算処理装置であって、一種の電気回路でもある。制御部１００は、例えば、ＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理することが可能である。制御部１００は、例えば、ＳｏＣ（System-on-a-Chip）、ＭＣＵ（Micro Control Unit）及びＦＰＧＡ（Field-Programmable Gate Array）等の副処理装置（co-processor）をさらに含んでも良い。この場合には、制御部１００は、ＣＰＵ１０１及び副処理装置を互いに協働させて各種の制御を行って良いし、両者のうちの一方を切り替えながら用いて各種の制御を行って良い。制御部１００は制御装置１００とも言える。
【００２４】
記憶部１０３は、ＲＯＭ（Read Only Memory）及びＲＡＭ（Random Access Memory）などの、ＣＰＵ１０１及びＤＳＰ１０２が読み取り可能な非一時的な記録媒体を含む。記憶部１０３が有するＲＯＭは、例えば、不揮発性メモリであるフラッシュＲＯＭ（フラッシュメモリ）である。記憶部１０３には、電子機器１を制御するための複数の制御プログラム１０３ａ等が記憶されている。制御部１００の各種機能は、ＣＰＵ１０１及びＤＳＰ１０２が記憶部１０３内の各種制御プログラム１０３ａを実行することによって実現される。
【００２５】
なお、制御部１００の全ての機能あるいは制御部１００の一部の機能は、その機能の実現にソフトウェアが不要なハードウェア回路によって実現されても良い。また、記憶部１０３は、ＲＯＭ及びＲＡＭ以外の、コンピュータが読み取り可能な非一時的な記録媒体を備えていてもよい。記憶部１０３は、例えば、小型のハードディスクドライブ及びＳＳＤ（Solid State Drive）などを備えていてもよい。
【００２６】
記憶部１０３内の複数の制御プログラム１０３ａには、様々なアプリケーション（アプリケーションプログラム）が含まれている。記憶部１０３には、例えば、音声通話及びビデオ通話を行うための通話アプリケーション、ウェブサイトを表示するためのブラウザ、電子メールの作成、閲覧及び送受信を行うためのメールアプリケーションが記憶されている。また記憶部１０３には、第１カメラ２００及び第２カメラ２１０を利用して被写体を撮影するためのカメラアプリケーション、地図を表示するための地図表示アプリケーション、記憶部１０３に記憶されている音楽データの再生制御を行うための音楽再生制御アプリケーションなどが記憶されている。記憶部１０３内の少なくとも一つのアプリケーションは、記憶部１０３内にあらかじめ記憶されているものであって良い。また、記憶部１０３内の少なくとも一つのアプリケーションは、電子機器１が他の装置からダウンロードして記憶部１０３内に記憶したものであって良い。
【００２７】
無線通信部１１０は、アンテナ１１１を有している。無線通信部１１０は、アンテナ１１１を用いて、制御部１００による制御よって無線通信を行うことが可能である。無線通信部１１０は、例えば、ＬＴＥ（Long Term Evolution）、ＣＤＭＡ（Code Division Multiple Access）、あるいはＵＭＴＳ（Universal Mobile Telecommunications System）に応じた無線通信を行う。無線通信部１１０は、電子機器１とは別の携帯電話機からの信号、あるいはインターネットに接続されたウェブサーバ等の通信装置からの信号を、基地局等を介してアンテナ１１１で受信する。無線通信部１１０は、受信信号に対して増幅処理及びダウンコンバートを行って制御部１００に出力する。制御部１００は、入力される受信信号に対して復調処理等を行って、当該受信信号に含まれる画像信号及び音信号等を取得する。また無線通信部１１０は、制御部１００で生成された、画像信号及び音信号等を含む送信信号に対してアップコンバート及び増幅処理を行って、処理後の送信信号をアンテナ１１１から無線送信する。アンテナ１１１からの送信信号は、基地局等を通じて、電子機器１とは別の携帯電話機、あるいはインターネット等に接続された通信装置で受信される。
【００２８】
近距離無線通信部１２０は、アンテナ１２１を有している。近距離無線通信部１２０は、アンテナ１２１を用いて、制御部１００による制御によって近距離無線通信を行うことが可能である。近距離無線通信部１２０は、通信装置２のＩＣチップ２０と、例えばＮＦＣに応じた近距離無線通信を行う。近距離無線通信部１２０は、ＩＣチップ２０と通信を行って、ＩＣチップ２０内の各種情報を取得する。近距離無線通信部１２０はＩＣチップ２０から取得した情報を制御部１００に出力する。近距離無線通信部１２０とＩＣチップ２０との間の通信距離は例えば１０ｃｍ程度である。アンテナ１２１はコイルで構成されている。
【００２９】
無線ＬＡＮ通信部１３０は、アンテナ１３１を有している。無線ＬＡＮ通信部１３０は、アンテナ１３１を用いて、制御部１００による制御によって無線通信を行うことが可能である。無線ＬＡＮ通信部１３０は、無線ＬＡＮ（Local Area Network）、例えばＷｉＦｉを用いて無線通信を通信装置と行う。
【００３０】
ＧＰＳ受信機１４０は、アンテナ１４１を有している。ＧＰＳ受信機１４０は、アンテナ１４１を用いて、制御部１００による制御によって、ＧＰＳ（Global Positioning System）の人工衛星からの無線信号を受信することが可能である。ＧＰＳ受信機１４０は、受信した無線信号に基づいて電子機器１の現在位置を算出する。ＧＰＳ受信機１４０で求められた現在位置は制御部１００に入力される。
【００３１】
操作ボタン群１８の操作ボタン１５，１６，１７のそれぞれは、ユーザによって操作されると、操作されたことを示す操作信号を制御部１００に出力する。これにより、制御部１００は、操作ボタン１５，１６，１７のそれぞれについて、当該操作ボタンが操作されたか否かを判断することができる。操作信号が入力された制御部１００が他の構成要素を制御することによって、電子機器１では、操作された操作ボタンに割り当てられている上述の機能が実行される。
【００３２】
表示部１６０は、電子機器１の前面１ａに設けられた表示領域１１と、表示パネル１５０とを備えている。表示部１６０は、表示領域１１に各種情報を表示することが可能である。表示パネル１５０は、例えば、液晶表示パネルあるいは有機ＥＬパネルである。表示パネル１５０は、制御部１００によって制御されることによって、文字、記号、図形などの各種情報を表示することが可能である。表示パネル１５０は、機器ケース１０内において、表示領域１１と対向して配置されている。表示パネル１５０に表示される情報は表示領域１１に表示される。
【００３３】
タッチパネル２２０は、表示領域１１に対する指等の操作子による操作を検出する。タッチパネル２２０は、例えば、投影型静電容量方式のタッチパネルであって、表示領域１１の裏側に配置されている。タッチパネル２２０は、表示領域１１と表示パネル１５０との間に配置されて良い。また、タッチパネル２２０の一部が、表示パネル１５０に内蔵されても良い。ユーザが指等の操作子によって表示領域１１に対して操作を行ったとき、その操作に応じた電気信号がタッチパネル２２０から制御部１００に入力される。制御部１００は、タッチパネル２２０からの電気信号に基づいて、表示領域１１に対して行われた操作の内容を特定して、その内容に応じた処理を行う。
【００３４】
マイク１９０は、電子機器１の外部から入力される音を電気的な音信号に変換して制御部１００に出力する。電子機器１の外部からの音は、マイク穴１４から電子機器１の内部に取り込まれてマイク１９０に入力される。
【００３５】
スピーカ１８０は、例えばダイナミックスピーカである。スピーカ１８０は、制御部１００からの電気的な音信号を音に変換して出力する。スピーカ１８０から出力される音はスピーカ穴１３から外部に出力される。スピーカ穴１３から出力される音は、電子機器１から離れた場所でも聞こえるようになっている。
【００３６】
レシーバ１７０は受話音を出力する。レシーバ１７０は例えばダイナミックスピーカで構成されている。レシーバ１７０は、制御部１００からの電気的な音信号を音に変換して出力する。レシーバ１７０から出力される音はレシーバ穴１２から外部に出力される。レシーバ穴１２から出力される音の音量は、スピーカ穴１３から出力される音の音量よりも小さくなっている。レシーバ穴１２から出力される音は、当該レシーバ穴１２に耳を近づけた場合に聞こえるようになっている。なお、レシーバ１７０の代わりに、機器ケース１０の前面部分を振動させる、圧電振動素子等の振動素子を設けて、当該前面部分から音をユーザに伝えても良い。
【００３７】
第１カメラ２００は、レンズ２０１及び撮像素子などで構成されている。第２カメラ２１０は、レンズ２１１及び撮像素子などで構成されている。第１カメラ２００及び第２カメラ２１０のそれぞれは、制御部１００による制御に基づいて被写体を撮影し、撮影した被写体を示す静止画像あるいは動画像を生成して制御部１００に出力する。
【００３８】
第１カメラ２００のレンズ２０１は、電子機器１の前面１ａから視認可能となっている。したがって、第１カメラ２００は、電子機器１の前面１ａ側（表示領域１１側）に存在する被写体を撮影する。第２カメラ２１０のレンズ２１１は、電子機器１の背面１ｂから視認可能となっている。したがって、第２カメラ２１０は、電子機器１の背面１ｂ側に存在する被写体を撮影する。
【００３９】
電池２３０は電子機器１の電源を出力する。電池２３０は例えば充電式の電池である。電池２３０から出力される電源は、電子機器１が備える制御部１００及び無線通信部１１０などの各種構成に対して供給される。
【００４０】
＜電子機器及び通信装置の使用方法＞
図５は電子機器１及び通信装置２の外観を示す斜視図である。図５に示されるように、通信装置２のケース２２はカード形状となっている。ケース２２内にＩＣチップ２０及びアンテナ２１が収納される。
【００４１】
上述のように、本例では、電子機器１とＩＣチップ２０との間の通信距離は１０ｃｍ程度である。そして、近距離無線通信部１２０は、機器ケース１０内において、例えば電子機器１の前面１ａよりも背面１ｂに近い場所に設けられている。したがって、ユーザは、電子機器１とＩＣチップ２０とを互いに通信させる場合には、図５に示されるように、電子機器１の背面１ｂに通信装置２を重ねるようにする。ユーザは、図６に示されるように、例えば、電子機器１の背面１ｂに通信装置２が重なるように電子機器１及び通信装置２を片手で持った状態で、電子機器１の表示領域１１を指等で操作する。表示領域１１を操作する手は、電子機器１及び通信装置２を持つ手と同じ手であっても良いし、電子機器１及び通信装置２を持つ手とは異なる手であっても良い。図６の例では、ユーザは、左手２５０で電子機器１及び通信装置２を持った状態で、右手２６０の人差し指２６１で電子機器１の表示領域１１を操作している。
【００４２】
＜電子機器の動作＞
電子機器１と通信装置２との間の距離が小さくなると、電子機器１では、記憶部１０３内に記憶されている所定のアプリケーションが起動する。このアプリケーションを「対象アプリケーション」と呼ぶ。
【００４３】
図７は電子機器１の動作を示すフローチャートである。図７に示されるように、電子機器１では、ステップｓ１において、近距離無線通信部１２０がＩＣチップ２０と通信可能である場合には、制御部１００はステップｓ２を実行する。
【００４４】
ここで、通信装置２では、電子機器１との距離が小さくなると、電子機器１の近距離無線通信部１２０のアンテナ（コイル）１２１が発生する磁界によって、ＩＣチップ２０に接続されたアンテナ（コイル）２１に誘導電流が流れる。これにより、ＩＣチップ２０に電力が供給される。ＩＣチップ２０は供給される電力に基づいて信号を送信する。ステップｓ１において、近距離無線通信部１２０がＩＣチップ２０から信号を受信する場合には、近距離無線通信部１２０がＩＣチップ２０と通信可能であるとして、制御部１００はステップｓ２を実行する。
【００４５】
ステップｓ２では、制御部１００は、記憶部１０３内の対象アプリケーションを実行する。これにより、電子機器１と通信装置２との間の距離が小さくなると、電子機器１では対象アプリケーションが起動する。
【００４６】
制御部１００は、対象アプリケーションにおいて、近距離無線通信部１２０を通じて、ＩＣチップ２０内の情報を読み出す。制御部１００は、対象アプリケーションにおいて、近距離無線通信部１２０がＩＣチップ２０から取得した情報（以後、単に「取得情報」と呼ぶことがある）に基づいて各種処理を行う。取得情報は記憶部１０３に記憶される。制御部１００が取得情報に基づいて行う処理の具体例については後述する。
【００４７】
制御部１００は、ステップｓ２の後、ステップｓ３において、近距離無線通信部１２０がＩＣチップ２０と通信できない場合には、ステップｓ４を実行する。近距離無線通信部１２０がＩＣチップ２０からの信号を受信できない場合には、近距離無線通信部１２０がＩＣチップ２０と通信できないとして、制御部１００はステップｓ４を実行する。
【００４８】
ステップｓ４では、制御部１００は、対象アプリケーションにおいてＩＣチップ２０から取得された取得情報を破棄する。具体的には、制御部１００は、記憶部１０３内の取得情報を記憶部１０３から消去する。そして、ステップｓ５において、制御部１００は、対象アプリケーションを終了する。その後、制御部１００は、ステップｓ１において、近距離無線通信部１２０がＩＣチップ２０と通信可能である場合には、ステップｓ２を実行し、その後同様に動作する。なお、ステップｓ４とステップｓ５の順番を入れ替えても良い。
【００４９】
制御部１００は、対象アプリケーションを実行している際に、ユーザが表示領域１１に対して所定の操作を行うことによって対象アプリケーションの終了を電子機器１に対して指示した場合には、対象アプリケーションを終了する。
【００５０】
このように、制御部１００は、近距離無線通信部１２０がＩＣチップ２０と通信できなくなったとき、ＩＣチップ２０から取得された取得情報を破棄する。これにより、電子機器１の記憶部１０３の記憶容量を有効利用することができる。電子機器１と通信装置２との間の距離が大きくなると、近距離無線通信部１２０がＩＣチップ２０と通信できなくなることから、電子機器１と通信装置２との間の距離が大きくなると、取得情報が電子機器１から自動的に破棄される。
【００５１】
なお、ステップｓ４において、制御部１００は、対象アプリケーションの実行により生成した情報も破棄しても良い。つまり、制御部１００は、対象アプリケーションでの取得情報に基づく処理において当該取得情報に基づいて生成した情報も削除しても良い。これにより、記憶部１０３の記憶容量をさらに有効利用することができる。
【００５２】
また、制御部１００は、対象アプリケーションを実行していない場合に、ユーザが表示領域１１に所定の操作を行うことによって対象アプリケーションの実行を電子機器１に対して指示したときには、対象アプリケーションを実行する。対象アプリケーションの実行後、近距離無線通信部１２０がＩＣチップ２０と通信可能となった場合には、制御部１００は、ＩＣチップ２０から情報を取得する。したがって、ユーザは、電子機器１に対して対象アプリケーションの実行を指示した後に、電子機器１と通信装置２との距離を小さくすることによって、電子機器１にＩＣチップ２０内の情報を取得させることができる。
【００５３】
＜通信装置の使用例と電子機器の動作例＞
以下に、ＩＣチップ２０を有する通信装置２の使用例と、その使用例に応じた電子機器１の動作例について説明する。
【００５４】
＜通信装置の広告宣伝媒体としての使用＞
本例では、通信装置２は、チラシあるいはダイレクトメール等の広告宣伝媒体として使用される。図８は広告宣伝媒体として使用される通信装置２の一例を示す図である。図８の例では、通信装置２は、例えば、お店のセールの広告宣伝媒体として使用される。通信装置２のケース２２の表面には、セールについての簡単な情報３００が印刷されている。
【００５５】
図９は、図８に示される通信装置２のＩＣチップ２０が記憶する情報の一例を示す図である。図９に示されるように、ＩＣチップ２０のメモリ２５内には、あるお店に関するお店情報３４０が記憶されている。お店情報３４０には、例えば、お店の位置３１０、お店の営業時間３２０及び詳細なセール情報３３０が含まれている。なお、お店情報３４０は、お店の位置３１０、お店の営業時間３２０及びセール情報３３０のうちの一部を含まなくても良い。また、お店情報３４０は、お店の位置３１０、お店の営業時間３２０及びセール情報３３０以外の情報、例えば、キャンペーン情報及び提携している他店に関する情報などを含んでも良い。
【００５６】
図１０はセール情報３３０の一例を示す図である。図１０に示されるように、セール情報３３０には、例えば、複数のセール期間３３１が含まれている。セール情報３３０では、各セール期間３３１に対して、そのセール期間３３１で販売されるセール品に関するセール品情報３３２が対応付けられている。セール品情報３３２には、それに対応するセール期間３３１で販売される各セール品についての画像、名前、セール価格及び割引率が含まれている。
【００５７】
このような通信装置２と電子機器１との距離が小さくなると、電子機器１では、制御部１００が記憶部１０３内の対象アプリケーションを実行する。制御部１００は、対象アプリケーションにおいて、近距離無線通信部１２０が通信装置２のＩＣチップ２０から取得した取得情報と、現在時刻と、現在日付と、電子機器１の現在位置とに基づいて、表示部１６０の表示を制御する処理等を行う。以下に本変形例に係る制御部１００の動作について詳細に説明する。
【００５８】
制御部１００は、対象アプリケーションの実行を開始すると、取得情報に基づいて、例えば図１１のような画面３５０を表示部１６０に表示させる。表示領域１１に表示される画面３５０では、電子機器１の現在位置とお店の位置３１０を含む地図３５３が示されている。地図３５３上には、電子機器１の現在位置を示すマーク３５５Ｍと、お店の位置３１０を示すマーク３１０Ｍとが示されている。そして、地図３５３上には、電子機器１の現在位置からお店の位置３１０までの経路３５４が示されている。言い換えれば、地図３５３上には、電子機器１を持つユーザの位置からお店の位置３１０までの経路３５４が示されている。
【００５９】
また画面３５０では、経路３５４に関する情報３５７が示されている。情報３５７には、例えば、電子機器１の現在位置からお店の位置３１０までにかかる時間３５７ａと、電子機器１の現在位置からお店の位置３１０までの距離３５７ｂとが含まれている。時間３５７ａは、例えば、徒歩での移動時間である。
【００６０】
対象アプリケーションを実行している制御部１００は、ＩＣチップ２０からの取得情報に含まれるお店の位置３１０と、ＧＰＳ受信機１４０からの電子機器１の位置とに基づいて、地図３５３上での経路３５４を求める。そして、制御部１００は、求めた経路３５４を地図３５３上に表示部１６０に表示させる。制御部１００は、記憶部１０３に地図３５３が記憶されている場合には、記憶部１０３内の地図３５３を使用しても良い。また、制御部１００は、無線通信部１１０を通じて、地図情報を提供するＷｅｂサーバから地図３５３を取得しても良い。
【００６１】
また、制御部１００は、お店の位置３１０と、ＧＰＳ受信機１４０からの電子機器１の位置とに基づいて、時間３５７ａ及び距離３５７ｂを求める。そして、制御部１００は、時間３５７ａ及び距離３５７ｂを含む情報３５７を表示部１６０に表示させる。
【００６２】
表示領域１１に表示される画面３５０には、上述の経路３５４等以外にも、本日のセール品に関するセール品情報３３２を表示するためのセール品ボタン３５１と、お店が現在営業中であるか否かを示す情報３５２とが含まれている。図１１の例では、情報３５２は、現在お店が営業中であることを示している。
【００６３】
制御部１００は、ＩＣチップ２０からの取得情報に含まれるお店の営業時間３２０と、現在時刻とを比較して、お店が現在営業中か否かを判定する。具体的には、制御部１００は、現在時刻が営業時間３２０に含まれる場合には、お店が現在営業中であると判定する。一方で、制御部１００は、現在時刻が営業時間３２０に含まれない場合には、お店が現在営業中ではないと判定する。そして、制御部１００は、お店が現在営業中か否かの判定結果に基づいて表示部１６０に情報３５２を表示させる。制御部１００は、お店が現在営業中か否かを判定する際に使用する現在時刻として、例えば、無線通信部１１０が通信する基地局が放送する現在時刻（ネットワーク時刻）を使用する。また、制御部１００は、電子機器１に設けられている図示しないリアルタイムクロック（ＲＴＣ）で得られる時刻を、現在時刻として使用しても良い。なお、現在お店が営業中ではない場合には、図１１に示される「ＯＰＥＮ中」という文字列の代わりに、例えば「ＣＬＯＳＥ」という文字列が画面３５０に示される。
【００６４】
ユーザがセール品ボタン３５１を指等で所定の操作（例えばタップ操作）を行うと、制御部１００は、例えば、図１２に示される画面３６０を表示部１６０に表示させる。これにより、表示領域１１に画面３６０が表示される。画面３６０には、本日のセール品に関するセール品情報３３２が含まれている。制御部１００は、ＩＣチップ２０からの取得情報に含まれるセール情報３３０から、本日のセール品に関するセール品情報３３２を取得する。具体的には、制御部１００は、セール情報３３０に含まれる各セール期間３３１と、現在日付とを比較して、現在日付を含むセール期間３３１を特定する。そして、制御部１００は、セール情報３３０において、特定したセール期間３３１に対応するセール品情報３３２を、本日のセール品に関するセール品情報３３２とする。制御部１００は、本日のセール品に関するセール品情報３３２を含む画面３６０を表示部１６０に表示させる。ユーザは、表示領域１１に対して、例えば上下方向のスライド操作を行うことによって、電子機器１に画面３６０をスクロール表示させることができる。
【００６５】
制御部１００は、本日のセール品に関するセール品情報３３２を取得する際に使用する現在日付として、例えば、無線通信部１１０が通信する基地局が放送する現在日付（ネットワーク日付）を使用する。また、制御部１００は、電子機器１のリアルタイムクロックで得られる日付を、現在日付として使用しても良い。
【００６６】
なお、制御部１００は、セール情報３３０に、現在日付を含むセール期間３３１が含まれていない場合には、セール品ボタン３５１の代わりに、セールが終了したことを通知する通知情報を表示部１６０に表示させても良い。
【００６７】
制御部１００は、電子機器１と通信装置２との間の距離が大きくなるなどして、近距離無線通信部１２０がＩＣチップ２０と通信できないと判定すると、記憶部１０３に記憶されている、ＩＣチップ２０からの取得情報、つまりお店の位置３１０、お店の営業時間３２０及びセール情報３３０を破棄する。さらに、制御部１００は、取得情報に基づいて生成したすべての情報を破棄する。具体的には、制御部１００は、画面３５０に含まれる情報３５２，３５７、経路３５４及びマーク３１０Ｍ，３５５Ｍを破棄する。なお、画面３６０には、取得情報に基づいて生成された情報は含まれていない。
【００６８】
制御部１００は、取得情報及びそれに基づいて生成した情報を破棄すると、対象アプリケーションを終了する。対象アプリケーションが終了すると、表示領域１１には、例えば待ち受け画面が表示される。近距離無線通信部１２０がＩＣチップ２０と通信できない状態では、電子機器１には画面３５０，３６０は表示されない。
【００６９】
以上のように、電子機器１では、通信装置２との距離が大きくなると、ＩＣチップ２０からの取得情報と、当該取得情報に基づいて生成された情報とが破棄される。したがって、ユーザが、電子機器１と重なっていた通信装置２を電子機器から離したり、通信装置２と重なっていた電子機器１を通信装置２から離したりすると、電子機器１では、通信装置２のＩＣチップ２０からの取得情報及びそれに基づいて生成された情報とが破棄される。取得情報に含まれるセール情報３３０などの広告宣伝情報は、ユーザにとってあるときだけ必要な一過性の情報であることが多く、期間が経過するとユーザにとって不要な情報となることがある。よって、ＩＣチップ２０から取得された広告宣伝情報及びそれに基づいて生成された情報が電子機器１から破棄されることによって、ユーザにとって不要になった情報がいつまでも電子機器１に記憶されることを抑制することができる。
【００７０】
また、電子機器１では、ＩＣチップ２０からの取得情報が破棄されることから、ＩＣチップ２０内に多くの情報を記憶させたとしても、電子機器１の記憶容量を有効利用することができる。したがって、ＩＣチップ２０内にできるだけ多くの情報を記憶させることが可能となり、その結果、電子機器１は、インターネット等に接続された外部装置と通信して当該外部装置から情報を取得する必要性を低減することができる。よって、電子機器１と外部装置との通信に費用がかかる場合には、その通信費用を削減することができる。
【００７１】
また、本例では、電子機器１は、ＩＣチップ２０からの取得情報を単に表示するのではなく、取得情報に基づいて生成した情報を表示することから、ユーザにとって適切な情報をユーザに提供することができる。
【００７２】
また本例では、制御部１００は、取得情報に基づいて表示部１６０に表示を行わせる際に、取得情報のすべてを使用するのではなく、所定の情報に基づいて使用する使用対象情報を取得情報から選択している。つまり、制御部１００は、取得情報から、現在日付に応じたセール品情報３３２（詳細には、現在日付を含むセール期間３３１に対応するセール品情報３３２）を使用対象情報として選択しており、それ以外のセール品情報３３２を使用していない。よって、制御部１００は、ユーザにとって必要な情報を使用して処理を行うことができる。本例のように、制御部１００が表示部１６０の表示を制御する場合には、ユーザにとって必要な情報をユーザに適切に提示することができる。
【００７３】
なお、上記の例では、画面３５０には、電子機器１の現在位置からお店の位置３１０までの経路３５４が示されているが、電子機器１の現在位置とは異なる所定の位置からお店の位置３１０までの経路が示されても良い。例えば、図１３に示されるように、画面３５０には、例えばユーザの住所（ユーザの自宅の住所）からお店の位置３１０までの経路３７２が示されても良い。図１３の例では、画面３５０に、ユーザの住所とお店の位置３１０を含む地図３７０が示されている。経路３７２は地図３７０上に示されている。また地図３７０上には、ユーザの住所を示すマーク３７１Ｍが示されている。また画面３５０には、経路３７２に関する情報３７３が示されている。情報３７３には、例えば、ユーザの住所からお店の位置３１０までにかかる時間３７３ａと、ユーザの住所からお店の位置３１０までの距離３７３ｂとが含まれている。時間３７３ａは、例えば、徒歩での移動時間である。ユーザの住所は記憶部１０３に記憶されている。記憶部１０３には、ユーザに関する情報であるユーザ情報が記憶されており、このユーザ情報にユーザの住所が含まれている。なお、ユーザ情報に、ユーザの住所以外の他の位置が含まれている場合には、画面３５０には、当該他の位置からお店の位置３１０までの経路が示されても良い。当該他の位置としては、例えば、ユーザの勤務先の住所等が考えられる。
【００７４】
また、制御部１００は、ユーザからの指示に応じて、経路３５４，３７２のいずれか一方を表示部１６０に表示させても良い。この場合、ユーザは、例えば表示領域１１を操作することによって、電子機器１に対して、経路３５４を表示させるか、経路３７２を表示させるかを指示することができる。例えば、図１１に示される画面３５０が表示領域１１に表示されている場合に、ユーザが、表示領域１１における、地図３５３が表示されている領域に対して所定の操作を行うと、制御部１００は、図１１に示される画面３５０の代わりに、図１３に示される画面３５０を表示部１６０に表示させる。また、図１３に示される画面３５０が表示領域１１に表示されている場合に、ユーザが、表示領域１１における、地図３７０が表示されている領域に対して所定の操作を行うと、制御部１００は、図１３に示される画面３５０の代わりに、図１１に示される画面３５０を表示部１６０に表示させる。また、制御部１００は、経路情報３５４，３７２の両方を同時に表示部１６０に表示させても良い。
【００７５】
また、制御部１００は、記憶部１０３内のユーザ情報に基づいて、ＩＣチップ２０からの取得情報から使用対象情報を選択しても良い。例えば、ユーザ情報に、ユーザの性別が含まれている場合を考える。この場合には、制御部１００は、本日のセール品に関するセール品情報３３２のうち、ユーザの性別に応じた情報３８０を使用対象情報とする。そして、制御部１００は、画面３５０のセール品ボタン３５１が操作されると、ユーザの性別に応じた情報３８０を含む画面３６０を表示部１６０に表示させる。図１４は、ユーザの性別に応じた情報３８０を含む画面３６０の一例である。図１４の例では、ユーザの性別は女性であって、画面３６０には、女性に応じた情報３８０が含まれている。女性に応じた情報３８０は、女性用アイテムのセールに関する情報で構成されている。制御部１００は、本日のセール品に関するセール品情報３３２から、女性用アイテムのセールに関する情報を情報３８０として取得し、取得した情報３８０を表示部１６０に表示させる。
【００７６】
また、ユーザ情報に、ユーザの性別と、ユーザに子供がいることを示す情報（以後、「子供有り情報」と呼ぶ）が含まれている場合には、制御部１００は、取得情報から、ユーザの性別に応じた情報３８０と、子供有り情報に応じた情報３８１とを使用対象情報として選択しても良い。図１５は、ユーザの性別に応じた情報３８０と、子供有り情報に応じた情報３８１とを含む画面３６０の一例である。図１５の例では、ユーザの性別は女性であって、画面３６０には、女性に応じた情報３８０が含まれている。女性に応じた情報３８０は、女性用アイテムのセールに関する情報を含む。また図１５の例では、子供有り情報に応じた情報３８１は、子供用アイテムのセールに関する情報を含む。制御部１００は、本日のセール品に関するセール品情報３３２から、女性用アイテムのセールに関する情報を情報３８０として取得するともに、子供用アイテムのセールに関する情報を情報３８１として取得する。そして、制御部１００は、取得した情報３８０，３８１を表示部１６０に表示させる。
【００７７】
このように、制御部１００は、ユーザ情報に含まれる複数の情報に基づいて、取得情報から使用対象情報を選択することによって、取得情報のうち、ユーザにとってより必要な情報を使用して処理を行うことができる。
【００７８】
また、ユーザ情報に、ユーザの年齢が含まれている場合には、制御部１００は、取得情報から、ユーザの年齢に応じた情報３８２を使用対象情報として選択しても良い。図１６は、ユーザの年齢に応じた情報３８２を含む画面３６０の一例である。図１６の例では、ユーザの年齢は二十代であって、ユーザの年齢に応じた情報３８２は、若者向けのアイテムのセールに関する情報で構成されている。制御部１００は、本日のセール品に関するセール品情報３３２から、若者向けアイテムのセールに関する情報を情報３８２として取得し、取得した情報３８２を表示部１６０に表示させる。
【００７９】
なお、制御部１００は、記憶部１０３内のユーザ情報のうち、ユーザが指示する情報に基づいて、取得情報から使用対象情報を選択しても良い。この場合には、ユーザは、例えば表示領域１１を操作することによって、制御部１００が使用対象情報を選択する場合に使用する情報を電子機器１に対して指定することができる。
【００８０】
また、制御部１００は、図１７に示されるように、画面３５０に、現在からお店の閉店時刻までの時間を含む情報３５８を含めても良い。制御部１００は、例えば、「閉店まであと○○時間です。」といった文字列から成る情報３５８を画面３５０に含める。この場合には、制御部１００は、取得情報に含まれるお店の営業時間３２０からお店の閉店時刻を取得する。そして、制御部１００は、お店の閉店時刻と現在時刻とに基づいて、現在からお店の閉店時刻までの時間を求める。
【００８１】
また、制御部１００は、図１８に示されるように、お店のセールが開始していない場合には、現在からお店のセール開始までの日数を含む情報３５９を、セール品ボタン３５１及び情報３５２の代わりに画面３５０に含めても良い。制御部１００は、例えば、「SALE開始まであと○○日です。」といった文字列から成る情報３５９を画面３５０に含める。この場合には、制御部１００は、取得情報に含まれる複数のセール期間３３１のうち、時期が最も早いセール期間３３１を特定する。そして、制御部１００は、現在日付が、時期が最も早いセール期間３３１よりも前であれば、現在日付と、時期が最も早いセール期間３３１とに基づいて、現在からお店のセール開始までの日数を求める。
【００８２】
また、ＩＣチップ２０内には、複数のお店（例えば複数の系列店）についてのお店情報３４０が記憶されていても良い。この場合には、制御部１００は、複数のお店についてのお店情報３４０のうち、電子機器１の現在位置あるいはユーザ情報に含まれる位置（例えばユーザの住所など）に最も近いお店についてのお店情報３４０を使用対象情報としても良い。この場合、制御部１００は、電子機器１の現在位置から、当該現在位置に最も近いお店の位置３１０までの経路、あるいはユーザ情報に含まれる位置から、当該位置に最も近いお店の位置３１０までの経路を、経路３５４，３７２と同様に、表示部１６０に表示させる。このとき、表示部１６０には、電子機器１の現在位置あるいはユーザ情報に含まれる位置に最も近いお店の位置３１０が表示される。また、制御部１００は、電子機器１の現在位置あるいはユーザ情報に含まれる位置に最も近いお店が現在営業中であるか否かを示す情報３５２を表示部１６０に表示させる。そして、制御部１００は、セール品ボタン３５１が操作されると、電子機器１の現在位置あるいはユーザ情報に含まれる位置に最も近いお店についての本日のセール品に関するセール品情報３３２を表示部１６０に表示させる。また、複数のお店についてのお店情報３４０のうち、制御部１００が使用対象情報とするお店情報３４０を、ユーザが表示領域１１を操作する等によって指定できるようにしても良い。また、制御部１００は、複数のお店にそれぞれ対応する複数の画面３５０を、ユーザの指示に応じて切り替えながら表示部１６０に表示させても良い。
【００８３】
＜通信装置のチケットとしての使用＞
本例では、通信装置２は、商業施設、遊園地及びテーマパークなどのチケットとして使用される。図１９はチケットとして使用される通信装置２の一例を示す図である。図１９の例では、通信装置２は、遊園地で１年間使用できるパスポートチケットとして機能する。通信装置２のケース２２の表面には、例えば、通信装置２がパスポートチケットとして機能することを示す情報４００と、パスポートチケットとしての通信装置２の所有者の顔画像４０１とが印刷されている。
【００８４】
なお、パスポートチケットとして機能する通信装置２は、ＩＣカードではなく、シールとして機能しても良い。この場合には、シールとして機能する通信装置２は、図２０に示されるように、例えば電子機器１の背面１ｂに貼り付けられる。このように、ＩＣチップ２０を備えるシールを電子機器１に貼り付けることによって、ユーザは、電子機器１とＩＣカードとを重ねて持つ場合と比較して、電子機器１を操作し易くなる。なお、上述のように、広告宣伝媒体として使用される通信装置２がシールとして機能しても良い。また、後述する、広告宣伝媒体及びチケット以外の用途で使用される通信装置２が、シールとして機能しても良い。
【００８５】
図２１は、図１９，２０に示される通信装置２のＩＣチップ２０が記憶する情報の一例を示す図である。図２１に示されるように、ＩＣチップ２０のメモリ２５内には、遊園地に関する遊園地情報４２０が記憶されている。遊園地情報４２０には、例えば、基本情報４１０、遊園地内の地図を示す園内地図４１１、イベント情報４１２、アトラクション情報４１３、ショップ情報４１４及びフード情報４１５が記憶されている。なお、遊園地情報４２０は、基本情報４１０、園内地図４１１、イベント情報４１２、アトラクション情報４１３、ショップ情報４１４及びフード情報４１５の一部を含まなくて良く、また、これらの情報とは別の情報を含んでも良い。
【００８６】
基本情報４１０には、例えば、遊園地の名前、遊園地のキャラクタを示すキャラクタ画像などが含まれている。
【００８７】
イベント情報４１２は、遊園地で開催されるイベントに関する情報である。イベント情報４１２には、図２２に示されるように、複数のイベント開催日４３０が含まれている。イベント情報４１２では、各イベント開催日４３０に対して複数のイベント内容４３１が対応付けられている。各イベント内容４３１は、それに対応するイベント開催日４３０で開催されるイベントの内容を示す。イベント内容４３１には、イベントの開催時間（イベントの開始時刻及び終了時刻）、イベントの名前、イベントの説明などが含まれる。
【００８８】
アトラクション情報４１３は、遊園地が有するアトラクションに関する情報である。アトラクション情報４１３には、遊園地が有する各アトラクションについての名前、説明、遊園地内での位置等が含まれている。
【００８９】
ショップ情報４１４は、遊園地が有するショップに関する情報である。ショップ情報４１４には、遊園地が有する各ショップについて名前、説明、遊園地内での位置等が含まれている。
【００９０】
フード情報４１５は、遊園地が有する飲食店に関する情報である。フード情報４１５には、遊園地が有する各飲食店についての名前、説明、遊園地内での位置等が含まれている。
【００９１】
このような通信装置２と電子機器１との距離が小さくなると、電子機器１では、制御部１００が記憶部１０３内の対象アプリケーションを実行する。制御部１００は、対象アプリケーションにおいて、近距離無線通信部１２０が通信装置２のＩＣチップ２０から取得した取得情報と、現在時刻と、現在日付と、電子機器１の現在位置とに基づいて、表示部１６０の表示を制御する処理等を行う。以下に本変形例に係る制御部１００の動作について詳細に説明する。
【００９２】
制御部１００は、対象アプリケーションの実行を開始すると、取得情報に基づいて、例えば図２３のような画面４６０を表示部１６０に表示させる。表示領域１１に表示される画面４６０には、遊園地の名前４６１と、遊園地のキャラクタを示すキャラクタ画像４６２とが含まれている。名前４６１及びキャラクタ画像４６２は、基本情報４１０に含まれている。
【００９３】
また、画面４６０には、人気のあるイベントの本日の開始時刻までの時間を示す情報４６３が含まれている。図２３の例では、情報４６３は、現在時刻から、本日遊園地で開催されるパレードの開始時刻までの時間を示している。制御部１００は、ＩＣチップ２０からのイベント情報４１２に含まれる複数のイベント開催日４３０のうち、現在日付に一致するイベント開催日４３０を特定する。そして、制御部１００は、イベント情報４１２から、現在日付と一致するイベント開催日４３０に対応する各イベント内容４３１を取得する。これにより、制御部１００は、本日開催される各イベントについてのイベント内容４３１を取得する。そして、制御部１００は、取得したイベント内容４３１のうち、対象のイベントに対応するイベント内容４３１、本例ではパレードに対応するイベント内容４３１に含まれるイベント開始時刻を取得する。制御部１００は、取得したイベント開始時刻と現在時刻とに基づいて、パレードの本日の開始時刻までの時間を求める。そして、制御部１００は、求めた時間を示す情報４６３を表示部１６０に表示させる。
【００９４】
また、画面４６０には、地図ボタン４６４、イベントボタン４６５、アトラクションボタン４６６、ショップボタン４６７及びフードボタン４６８が含まれている。
【００９５】
地図ボタン４６４は、遊園地内の地図を表示部１６０に表示させるための操作ボタンである。イベントボタン４６５は、遊園地での本日のイベントに関する情報を表示部１６０に表示させるための操作ボタンである。アトラクションボタン４６６は、遊園地内のアトラクションに関する情報を表示部１６０に表示させるための操作ボタンである。ショップボタン４６７は、遊園地内のショップに関する情報を表示部１６０に表示させるための操作ボタンである。フードボタン４６８は、遊園地内の飲食店に関する情報を表示部１６０に表示させるための操作ボタンである。
【００９６】
ユーザが地図ボタン４６４に対して所定の操作（例えばタップ操作）を行うと、制御部１００は、ＩＣチップ２０からの取得情報に含まれる園内地図４１１を表示部１６０に表示させる。具体的には、制御部１００は、図２４に示される、園内地図４１１を含む地図画面４５０を表示部１６０に表示させる。園内地図４１１上には、アトラクション、ショップ及び飲食店等の位置を示すマーク４１１Ｍが示されている。地図画面４５０には、遊園地の名前４６１も含まれている。
【００９７】
ユーザがイベントボタン４６５に対して所定の操作（例えばタップ操作）を行うと、制御部１００は、ＩＣチップ２０からの取得情報に含まれるイベント情報４１２に基づいてイベント画面４７０を表示部１６０に表示させる。
【００９８】
ユーザがアトラクションボタン４６６に対して所定の操作（例えばタップ操作）を行うと、制御部１００は、ＩＣチップ２０からの取得情報に含まれるアトラクション情報４１３に基づいてアトラクション画面４８０を表示する。
【００９９】
ユーザがショップボタン４６７に対して所定の操作（例えばタップ操作）を行うと、制御部１００は、ＩＣチップ２０からの取得情報に含まれるショップ情報４１４に基づいてショップ画面５１０を表示する。
【０１００】
ユーザがフードボタン４６８に対して所定の操作（例えばタップ操作）を行うと、制御部１００は、ＩＣチップ２０からの取得情報に含まれるフード情報４１５に基づいてフード画面５２０を表示する。
【０１０１】
以下に、イベント画面４７０、アトラクション画面４８０、ショップ画面５１０及びフード画面５２０について詳細に説明する。
【０１０２】
＜イベント画面＞
図２５はイベント画面４７０の一例を示す図である。イベント画面４７０には、遊園地の名前４６１と現在日付４７１が含まれる。またイベント画面４７０には、本日開催されるイベントに関する情報が含まれる。具体的には、イベント画面４７０には、本日開催される各イベントについて、イベントの開催時間４７２、イベントの名前４７３及びイベントの説明４７４が含まれる。ユーザは、表示領域１１に対して、例えば上下方向のスライド操作を行うことによって、電子機器１にイベント画面４７０をスクロール表示させることができる。
【０１０３】
制御部１００は、ＩＣチップ２０からのイベント情報４１２に含まれる複数のイベント開催日４３０のうち、現在日付に一致するイベント開催日４３０を特定する。そして、制御部１００は、イベント情報４１２から、現在日付と一致するイベント開催日４３０に対応する各イベント内容４３１を取得する。これにより、制御部１００は、本日開催される各イベントについてのイベント内容４３１を取得する。制御部１００は、取得した各イベント内容４３１に基づいてイベント画面４７０を表示部１６０に表示させる。
【０１０４】
＜アトラクション画面＞
図２６はアトラクション画面４８０の一例を示す図である。アトラクション画面４８０には、遊園地の名前４６１が含まれている。またアトラクション画面４８０には、各アトラクションについて、アトラクションの名前４８１と、アトラクションの説明４８２と、アトラクションの場所（位置）を表示するための場所ボタン４８３と、アトラクションの混雑状況を表示するための混雑状況ボタン４８４とが含まれている。アトラクションの名前４８１と、アトラクションの説明４８２は、アトラクション情報４１３に含まれる。ユーザは、表示領域１１に対して、例えば上下方向のスライド操作を行うことによって、アトラクション画面４８０を電子機器１にスクロール表示させることができる。
【０１０５】
制御部１００は、あるアトラクションに対応する場所ボタン４８３がユーザによって例えばタップ操作されると、図２７に示される画面４９０を表示部１６０に表示させる。表示領域１１に表示される画面４９０には、園内地図４１１が示されている。園内地図４１１上には、電子機器１の現在の位置を示すマーク４９１Ｍが示されている。そして、園内地図４１１上には、電子機器１の現在位置から、対象のアトラクションの場所（位置）までの経路４９３が示されている。制御部１００は、ＩＣチップ２０からのアトラクション情報４１３に含まれる対象のアトラクションの位置と、ＧＰＳ受信機１４０からの電子機器１の位置とに基づいて、園内地図４１１上での経路４９３を求める。
【０１０６】
なお、上述の図１１等と同様に、画面４９０には、経路４９３に関する情報が含まれても良い。当該情報には、例えば、電子機器１の現在位置から対象のアトラクションの位置までにかかる時間と、電子機器１の現在位置から対象のアトラクションの位置までの距離とが含まれる。
【０１０７】
また、制御部１００は、あるアトラクションに対応する混雑状況ボタン４８４がユーザによって例えばタップ操作されると、図２８に示される画面５００を表示部１６０に表示させる。表示領域１１に表示される画面５００には、対象のアトラクションの名前５０１と、対象のアトラクションを利用するために必要な待ち時間５０２とが含まれる。制御部１００は、例えば、遊園地内に設けられた、各アトラクションについての待ち時間を提供するサーバから、無線ＬＡＮ通信部１３０を通じて、対象のアトラクションの待ち時間５０２を取得する。なお、制御部１００は、対象のアトラクションの待ち時間５０２を他の手段で取得しても良い。例えば、制御部１００は、インターネットに接続されている、各アトラクションについての待ち時間を提供するサーバから、無線通信部１１０を通じて、対象のアトラクションの待ち時間５０２を取得しても良い。
【０１０８】
＜ショップ画面＞
図２９はショップ画面５１０の一例を示す図である。ショップ画面５１０には、遊園地の名前４６１が含まれている。またショップ画面５１０には、各ショップについて、ショップの名前５１１と、ショップの説明５１２と、ショップの場所（位置）を表示するための場所ボタン５１３とが含まれている。ショップの名前５１１と、ショップの説明５１２は、ショップ情報４１４に含まれる。ユーザは、表示領域１１に対して、例えば上下方向のスライド操作を行うことによって、ショップ画面５１０を電子機器１にスクロール表示させることができる。
【０１０９】
制御部１００は、あるショップに対応する場所ボタン５１３がユーザによって例えばタップ操作されると、上述の図２７と同様にして、園内地図４１１上に、電子機器１の現在位置から、当該あるショップの場所（位置）までの経路を表示部１６０に表示させる。制御部１００は、ＩＣチップ２０からのショップ情報４１４に含まれる対象のショップの位置と、ＧＰＳ受信機１４０からの電子機器１の位置とに基づいて、園内地図４１１上での当該経路を求める。
【０１１０】
＜フード画面＞
図３０はフード画面５２０の一例を示す図である。フード画面５２０には、遊園地の名前４６１が含まれている。またフード画面５２０には、各飲食店について、飲食店の名前５２１と、飲食店の説明５２２と、飲食店の場所（位置）を表示するための場所ボタン５２３とが含まれている。飲食店の名前５２１と、飲食店の説明５２２は、フード情報４１５に含まれる。ユーザは、表示領域１１に対して、例えば上下方向のスライド操作を行うことによって、フード画面５２０を電子機器１にスクロール表示させることができる。
【０１１１】
制御部１００は、ある飲食店に対応する場所ボタン５２３がユーザによって例えばタップ操作されると、上述の図２７と同様にして、園内地図４１１上に、電子機器１の現在位置から、当該ある飲食店の場所（位置）までの経路を表示部１６０に表示させる。制御部１００は、ＩＣチップ２０からのフード情報４１５に含まれる対象の飲食店の位置と、ＧＰＳ受信機１４０からの電子機器１の位置とに基づいて、園内地図４１１上での当該経路を求める。
【０１１２】
制御部１００は、電子機器１と通信装置２との間の距離が大きくなるなどして、近距離無線通信部１２０がＩＣチップ２０と通信できないと判定すると、ＩＣチップ２０からの取得情報、つまり園内地図４１１、イベント情報４１２、アトラクション情報４１３、ショップ情報４１４及びフード情報４１５を破棄する。さらに、制御部１００は、取得情報に基づいて生成したすべての情報を破棄する。具体的には、制御部１００は、例えば、画面４６０に含まれる情報４６３、地図ボタン４６４、イベントボタン４６５、アトラクションボタン４６６、ショップボタン４６７及びフードボタン４６８を破棄する。また、制御部１００は、例えば、画面４９０に含まれるマーク４９１Ｍ及び経路４９３を破棄する。制御部１００は、取得情報及びそれに基づいて生成した情報を破棄すると、対象アプリケーションを終了する。対象アプリケーションが終了すると、表示領域１１には、例えば待ち受け画面が表示される。近距離無線通信部１２０がＩＣチップ２０と通信できない状態では、電子機器１には画面４６０等は表示されない。なお、制御部１００は、近距離無線通信部１２０がＩＣチップ２０と通信できないと判定すると、無線ＬＡＮ通信部１３０を通じて取得したアトラクションの混雑状況も破棄しても良い。
【０１１３】
以上のように、本例では、電子機器１は、ＩＣチップ２０との距離が小さくなると、ＩＣチップ２０内の遊園地情報４２０を取得することができる。したがって、ユーザは、例えば、遊園地内において電子機器１と通信装置２とを互いに近づけて所持することによって、遊園地内において電子機器１から遊園地に関する様々な情報を取得することができる。上述の図２０に示されるように、通信装置２がシールとして機能する場合には、ユーザは、遊園地内において、通信装置２が貼り付けられた電子機器１を所持することによって、遊園地内において電子機器１から遊園地に関する様々な情報を取得することができる。
【０１１４】
また、電子機器１は、ＩＣチップ２０との距離が大きくなると、取得した遊園地情報４２０等を破棄する。したがって、ユーザは、例えば、遊園地の外に出ると、電子機器１と通信装置２とを互いに離すことによって、必要でなくなった遊園地情報４２０等を電子機器１に消去させることができる。通信装置２がシールとして機能する場合には、ユーザは、遊園地の外に出ると、電子機器１から通信装置２を剥がすことによって、必要でなくなった遊園地情報４２０等を電子機器１に消去させることができる。
【０１１５】
なお、制御部１００は、ショップボタン４６７が操作されると、遊園地内の複数のショップのうち、電子機器１の現在位置から最も近いショップだけの名前５１１、説明５１２及び場所ボタン５１３をショップ画面５１０に示しても良い。また、制御部１００は、フードボタン４６８が操作されると、遊園地内の複数の飲食店のうち、電子機器１の現在位置から最も近い飲食店だけの名前５２１、説明５２２及び場所ボタン５２３をフード画面５２０に示しても良い。
【０１１６】
また、制御部１００は、イベント画面４７０において、本日開催されるイベントのすべての情報を含めるのではなく、本日開催されるイベントのうち、現在時刻よりも後に開始するイベントのみの情報を含めても良い。この場合、制御部１００は、取得情報に含まれる複数のイベント内容４３１のうち、現在日付及び現在時刻に応じたイベント内容４３１を使用対象情報とすることになる。
【０１１７】
＜通信装置の電子書籍としての使用＞
本例では、通信装置２は電子書籍として使用される。図３１は電子書籍して使用される通信装置２の一例を示す図である。図３１の例では、通信装置２は、漫画の電子書籍として機能する。そして、ユーザは、例えば、レンタルショップにおいて、漫画の電子書籍として機能する通信装置２をレンタルする。つまり、通信装置２は、レンタル電子書籍として機能する。通信装置２のケース２２の表面には、例えば、漫画のタイトル６００、漫画の巻番号６０１、漫画のキャラクタ６０２が印刷されている。本例では、通信装置２を「レンタル電子書籍２」と呼ぶことがある。レンタル電子書籍２はカード型である。なお、通信装置２は、漫画以外の電子書籍として機能しても良い。また、通信装置２は、ユーザによって購入される電子書籍として機能しても良い。
【０１１８】
図３２は、レンタル電子書籍２のＩＣチップ２０が記憶する情報の一例を示す図である。図３２に示されるように、ＩＣチップ２０のメモリ２５内には、書籍の電子データ（書籍電子データ）６１０と、レンタル電子書籍２の返却期限６２０及びレンタルショップ情報６３０などが記憶されている。書籍電子データ６１０には、書籍の内容を示す画像データ、本例では漫画の内容を示す画像データが含まれている。返却期限６２０は、例えば「月」及び「日」で表されている。レンタルショップ情報６３０には、レンタル電子書籍２を返却することが可能な複数のレンタルショップに関する情報が含まれている。レンタルショップ情報６３０には、各レンタルショップについての名前及び位置などが含まれている。
【０１１９】
このようなレンタル電子書籍２と電子機器１との距離が小さくなると、電子機器１では、制御部１００が記憶部１０３内の対象アプリケーションを実行する。制御部１００は、対象アプリケーションにおいて、近距離無線通信部１２０が通信装置２のＩＣチップ２０から取得した取得情報と、現在時刻と、現在日付と、電子機器１の現在位置とに基づいて、表示部１６０の表示を制御する処理等を行う。以下に本変形例に係る制御部１００の動作について詳細に説明する。
【０１２０】
制御部１００は、対象アプリケーションの実行を開始すると、ＩＣチップ２０からの書籍電子データ６１０に基づいて、表示部１６０に書籍（漫画）の内容６５０を表示させる。図３３は表示領域１１での書籍の内容６５０の表示例を示す図である。ユーザは、例えば表示領域１１に対して左右方向にフリック操作を行うことによって、表示領域１１に表示されるページを電子機器１に変化させることができる。
【０１２１】
また制御部１００は、レンタル電子書籍２の返却期限に近づくと、ユーザに対して警告を行う。具体的には、制御部１００は、ＩＣチップ２０からの返却期限６２０と現在日付とを定期的に比較し、現在日付から返却期限６２０までの日数が所定値以下になると、例えば図３４に示される警告画面６６０を、書籍６５０に重ねて表示部１６０に表示させる。
【０１２２】
警告画面６６０には、返却期限６２０と、返却期限６２０までの残り時間を示す情報６６３とが含まれている。情報６６３には、返却期限６２０までの残り時間を日数で表す情報６６１と、返却期限６２０までの残り時間を「時」及び「分」で表す情報６６２とが含まれている。制御部１００は、現在日付から返却期限６２０までの日数を求めて、求めた日数を情報６６１して表示部１６０に表示させる。また制御部１００は、現在日時から、例えば返却期限６２０の午前１２時までの時間を「時」及び「分」で表す情報を情報６６２として表示部１６０に表示させる。
【０１２３】
また警告画面６６０には、電子機器１の現在位置に最も近いレンタルショップの位置を表示するための最寄ショップボタン６６５が含まれている。制御部１００は、最寄ショップボタン６６５をユーザが例えばタップ操作すると、上述の図１１等と同様に、電子機器１の現在位置から、当該現在位置に最も近いレンタルショップの位置までの経路を地図上に表示部１６０に表示させる。制御部１００は、ＩＣチップ２０からのレンタルショップ情報６３０から、電子機器１の現在位置に最も近いレンタルショップの位置を取得する。そして、制御部１００は、電子機器１の現在位置から、取得したレンタルショップの位置までの経路を求める。
【０１２４】
制御部１００は、電子機器１とレンタル電子書籍２との間の距離が大きくなるなどして、近距離無線通信部１２０がＩＣチップ２０と通信できないと判定すると、ＩＣチップ２０からの取得情報、つまり書籍電子データ６１０、返却期限６２０及びレンタルショップ情報６３０を破棄する。さらに、制御部１００は、取得情報に基づいて生成したすべての情報を破棄する。具体的には、制御部１００は、例えば、警告画面６６０に含まれる情報６６３を破棄する。制御部１００は、取得情報及びそれに基づいて生成した情報を破棄すると、対象アプリケーションを終了する。対象アプリケーションが終了すると、表示領域１１には、例えば待ち受け画面が表示される。近距離無線通信部１２０がＩＣチップ２０と通信できない状態では、電子機器１には書籍６５０及び警告画面６２０は表示されない。
【０１２５】
以上のように、本例では、電子機器１は、ＩＣチップ２０との距離が小さくなると、ＩＣチップ２０内の書籍電子データ６１０を取得することができる。したがって、ユーザは、例えば、電子機器１とレンタル電子書籍２とを重ねて片手で持った状態で、レンタル電子書籍２に表示される書籍の内容を見ることができる。
【０１２６】
また、電子機器１は、ＩＣチップ２０から、レンタル電子書籍２の返却期限６２０を取得し、現在日付が返却期限６２０に近づくとユーザに対して警告を行う。したがって、ユーザは、レンタル電子書籍２の返却期限６２０に近づいたことを容易に知ることができる。なお、警告画面６６０に含まれる、返却期限６２０までの残り時間を示す情報６６３については、現在日付が返却期限６２０に近づいた場合にだけ表示されるのではなく、現在日付が返却期限６２０に近づいていない場合に表示されても良い。この場合には、例えば、情報６６３は、図３３のように表示部１６０に表示される書籍６５０に対して重なるように小さく表示されて良い。
【０１２７】
また、電子機器１は、ＩＣチップ２０との距離が大きくなると、ＩＣチップ２０から取得した、書籍電子データ６１０等の取得情報を破棄することから、ユーザが、レンタル電子書籍２をレンタルショップに返却した後は、電子機器１には取得情報が残らない。よって、ユーザは、レンタル電子書籍２をレンタルショップに返却した後は電子機器１を利用して書籍の内容を見ることができなくなり、レンタルショップはレンタル業務を適切に行うことができる。
【０１２８】
一方で、電子書籍のレンタル方法として、電子機器１が、書籍電子データを配信するＷｅｂサーバと通信を無線通信部１１０を使用して行うことによって、当該Ｗｅｂサーバからの書籍電子データに基づいて所定期間だけ書籍の内容を表示できるようにすることが考えられる。この場合、電子機器１とＷｅｂサーバとの通信に費用がかかる可能性がある。本例では、このような通信は不要となることから、通信費用を抑制することができる。
【０１２９】
なお、電子機器１では、制御部１００は、ＩＣチップ２０からの書籍電子データ６１０が示す書籍の内容に好ましくない画像が含まれている場合には、ユーザに警告を行っても良い。例えば、書籍電子データ６１０が示す書籍の内容に好ましくない画像が含まれている場合には、制御部１００は、書籍電子データ６１０に基づいて書籍の内容を表示部１６０に表示させる前に、図３５に示される警告画面６７０を表示部１６０に表示させる。
【０１３０】
警告画面６７０には、書籍の内容に好ましくない画像が含まれている旨をユーザに通知する通知情報６７１が含まれている。また警告画面６７０には、電子機器１が書籍の内容を表示するか否かをユーザに確認するための画像６７２が含まれている。画像６７２には、「表示させますか？」という文字列６７３が含まれている。また画像６７２には、電子機器１が書籍の内容を表示することをユーザが指示するためのＹＥＳボタン６７４と、電子機器１が書籍の内容を表示しないことをユーザが指示するためのＮＯボタン６７５とが含まれている。
【０１３１】
制御部１００は、ＹＥＳボタン６７４に対してユーザが例えばタップ操作を行うと、上述の図３３と同様に書籍の内容を表示部１６０に表示させる。一方で、制御部１００は、ＮＯボタン６７５に対してユーザが例えばタップ操作を行うと、書籍の内容を表示部１６０に表示させない。したがって、この場合には、ユーザは電子機器１を利用して書籍の内容を見ることができない。
【０１３２】
制御部１００は、対象アプリケーションの実行が開始すると、書籍の内容を表示部１６０に表示させる前に、書籍の内容に好ましくない画像が含まれている否かを判定する。例えば、制御部１００は、書籍電子データ６１０に含まれる書籍の画像データに対して画像処理を行って、書籍の内容において、予め記憶部１０３に記憶されている好ましくない文字列が含まれているか否かを判定する。制御部１００は、書籍の内容に好ましくない文字列が含まれている場合には、書籍の内容に好ましくない画像が含まれていると判定する。一方で、制御部１００は、書籍の内容に好ましくない文字列が含まれていない場合には、書籍の内容に好ましくない画像が含まれていないと判定する。制御部１００は、書籍の内容に好ましくない画像が含まれていると判定した場合には警告画面６７０を表示部１６０に表示させる。一方で、制御部１００は、書籍の内容に好ましくない画像が含まれていないと判定した場合には、書籍の内容を表示部１６０に表示させる。
【０１３３】
また、制御部１００は、レンタル電子書籍２のユーザの利用条件がＩＣチップ２０内に記憶されている場合には、対象アプリケーションの実行を開始すると、書籍の内容を表示部１６０に表示させる前に、記憶部１０３内のユーザ情報に基づいて、電子機器１のユーザが当該利用条件を満たすか否かを判定しても良い。制御部１００は、ユーザが利用条件を満たしていると判定すると、書籍の内容を表示部１６０に表示させる。一方で、制御部１００は、ユーザが利用条件を満たしていないと判定すると、その旨をユーザに対して通知する。このとき、制御部１００は、例えば、ユーザが利用条件を満たしていない旨を通知する通知画面６８０を表示部１６０に表示させる。図３６は通知画面６８０の一例を示す図である。通知画面６８０には、ユーザが利用条件を満たしていないため、書籍の内容が電子機器１に表示されない旨を通知する通知情報６８１が含まれている。電子機器１に通知画面６８０が表示される場合には、電子機器１には書籍の内容は表示されない。
【０１３４】
利用条件としては、例えば、利用の年齢制限がある。この場合、制御部１００は、記憶部１０３内のユーザ情報に含まれるユーザの年齢と、ＩＣチップ２０からの取得情報に含まれる年齢制限とを比較する。制御部１００は、ユーザの年齢が年齢制限を満たす場合には、ユーザが利用条件を満たすと判定する。一方で、制御部１００は、ユーザの年齢が年齢制限を満たさない場合には、ユーザが利用条件を満たさないと判定する。
【０１３５】
また、上記の例では、通信装置２は、レンタル電子書籍として機能したが、レンタルビデオあるいはレンタルＣＤとして機能しても良い。この場合には、通信装置２のＩＣチップ２０内には、書籍電子データ６１０の代わりに、映像データあるいは音楽データが記憶される。通信装置２がレンタルビデオとして機能する場合には、電子機器１は、対象アプリケーションにおいて、表示部１６０及びスピーカ１８０等を利用して、ＩＣチップ２０からの映像データを再生する。そして、現在日付がレンタルビデオの返却期限に近づくと、電子機器１は、図３４に示される警告画面６６０と同様の警告画面を表示部１６０に表示させる。また、通信装置２がレンタルＣＤとして機能する場合には、電子機器１は、対象アプリケーションにおいて、スピーカ１８０等を利用して、ＩＣチップ２０からの音楽データを再生する。そして、現在日付がレンタルＣＤの返却期限に近づくと、電子機器１は、警告画面６６０と同様の警告画面を表示部１６０に表示させる。
【０１３６】
また、電子機器１のユーザが、通信装置２を利用して、所定期間だけ音楽データを無料で試聴できるようにしても良い。この場合には、通信装置２のＩＣチップ２０内には、音楽データ及び無料試聴期間が含まれる。そして、制御部１００は、対象アプリケーションにおいて、現在日付が、ＩＣチップ２０からの無料試聴期間に含まれるか否かを判定する。制御部１００は、現在日付が無料試聴期間に含まれる場合には、ＩＣチップ２０からの音楽データを再生して、例えばスピーカ１８０から音楽を出力させる。一方で、制御部１００は、現在日付が無料試聴期間に含まれない場合には、ＩＣチップ２０からの音楽データを再生しない。制御部１００は、音楽データを再生する場合には、現在日付が無料試聴期間の終了に近づくと、上述の図３４に示される情報６６３と同様に、無料試聴期間の終了までの時間を表示部１６０に表示させても良い。
【０１３７】
＜通信装置の名刺としての使用＞
本例では、通信装置２は名刺として使用される。図３７は名刺として使用される通信装置２の一例を示す図である。名刺として機能する通信装置２のケース２２の表面には、対象人物に関する簡単な情報が印刷されている。例えば、通信装置２のケース２２には、対象人物の氏名７０２と、対象人物が勤務する会社の会社名７００と、対象人物が所属する部署の部署名７０１とが印刷されている。そして、通信装置２のＩＣチップ２０内には、対象人物に関する詳細な情報が記憶されている。言い換えれば、ＩＣチップ２０内には、対象人物に関する情報について、ケース２２に示される情報よりも多くの情報が記憶されている。
【０１３８】
ＩＣチップ２０内には、例えば、氏名７０２、会社名７００及び部署名７０１だけではなく、対象人物の会社についての住所及びホームページのＵＲＬが記憶されている。またＩＣチップ２０内には、対象人物の会社の電話番号及び対象人物の携帯電話機の電話番号が記憶されている。またＩＣチップ２０内には、対象人物の会社でのｅメールアドレス及び対象人物の携帯電話機でのｅメールアドレスが記憶されている。
【０１３９】
電子機器１と通信装置２の距離が小さくなると、電子機器１では、制御部１００が記憶部１０３内の対象アプリケーションを実行する。制御部１００は、対象アプリケーションにおいて、近距離無線通信部１２０が通信装置２のＩＣチップ２０から取得した取得情報を含む画面７１０を表示部１６０に表示させる。
【０１４０】
図３８は画面７１０の一例を示す図である。画面７１０には、例えば、氏名７０２、会社名７００及び部署名７０１が含まれる。また画面７１０には、対象人物の会社についての住所７１１及びホームページのＵＲＬ７１６が含まれている。また画面７１０には、対象人物の会社の電話番号７１２及び対象人物の携帯電話機の電話番号７１３と、対象人物の会社でのｅメールアドレス７１４及び対象人物の携帯電話機でのｅメールアドレス７１５が含まれている。なお、ＩＣチップ２０内に対象人物の略歴が含まれている場合に、画面７１０に当該略歴が含まれても良い。
【０１４１】
制御部１００は、電子機器１と通信装置２との間の距離が大きくなるなどして、近距離無線通信部１２０がＩＣチップ２０と通信できないと判定すると、ＩＣチップ２０からの取得情報を破棄する。制御部１００は、取得情報を破棄すると、対象アプリケーションを終了する。対象アプリケーションが終了すると、表示領域１１には、例えば待ち受け画面が表示される。近距離無線通信部１２０がＩＣチップ２０と通信できない状態では、電子機器１には画面７１０は表示されない。
【０１４２】
このように、本例では、通信装置２のＩＣチップ２０内には、対象人物に関する詳細な情報が記憶されていることから、電子機器１のユーザは、電子機器１と通信装置２とを互いに近づけることによって、電子機器１を利用して対象人物に関する詳細な情報を確認することができる。
【０１４３】
また本例では、通信装置２のケース２２の表面には、対象人物に関する簡単な情報しか示されないため、対象人物に関する情報を知らせたい人以外の人に、対象人物の詳細な情報が知られることを抑制することができる。
【０１４４】
なお、制御部１００は、画面７１０に含まれるＵＲＬ７１６が例えばタップ操作されたとき、記憶部１０３内のブラウザを実行して、対象人物の会社のホームページを表示部１６０に表示させても良い。
【０１４５】
また、制御部１００は、画面７１０に含まれる住所７１１が例えばタップ操作されたとき、上述の図１１等と同様にして、電子機器１の現在位置から、対象人物の会社の住所７１１までの経路を地図上に表示部１６０に表示させても良い。
【０１４６】
＜各種変形例＞
以下に電子機器１の各種変形例について説明する。
【０１４７】
＜第１変形例＞
制御部１００は、対象アプリケーションを実行している場合、ユーザが表示領域１１を操作して対象アプリケーションの終了を電子機器１に対して指示したときには、近距離無線通信部１２０がＩＣチップ２０と通信できる場合であっても、対象アプリケーションを終了するとともに、ＩＣチップ２０からの取得情報を破棄しても良い。このとき、制御部１００は、取得情報に基づいて生成した情報も破棄しても良い。
【０１４８】
このように、制御部１００が、近距離無線通信部１２０がＩＣチップ２０と通信できる場合であっても、対象アプリケーションを終了するときに、ＩＣチップ２０からの取得情報を破棄することによって、ユーザは、電子機器１と通信装置２との距離を大きくすることなく、電子機器１に取得情報を破棄させることができる。よって、電子機器１の操作性が向上する。
【０１４９】
なお、制御部１００は、対象アプリケーションを終了するとともに、ＩＣチップ２０からの取得情報等を破棄した後、上述のステップｓ１を実行する。ユーザが、対象アプリケーションの終了を電子機器１に対して指示した後、すぐに電子機器１と通信装置２の距離を大きくする場合には、ステップｓ１ではＮｏと判定される。したがって、ユーザは、対象アプリケーションの終了を電子機器１に対して指示した後、すぐに電子機器１と通信装置２の距離を大きくすることによって、対象アプリケーションの終了を電子機器１に指示した後に、電子機器１において対象アプリケーションが自動的に起動することを抑制することができる。
【０１５０】
＜第２変形例＞
制御部１００は、ＩＣチップ２０からの取得情報のうち、ユーザが指定する情報を破棄しなくても良い。この場合、ユーザが指定する情報は、例えば、記憶部１０３が有する不揮発性メモリに保存される。ユーザは、例えば表示領域１１を操作することによって、取得情報のうち、電子機器１が破棄しない情報（言い換えれば電子機器１が保存する情報）を指定することができる。
【０１５１】
また、制御部１００は、取得情報に基づいて生成した情報のうち、ユーザが指定する情報を破棄しなくても良い。この場合に、ユーザが指定する情報は、例えば、記憶部１０３が有する不揮発性メモリに保存される。ユーザは、例えば表示領域１１を操作することによって、取得情報に基づいて生成した情報のうち、電子機器１が破棄しない情報を指定することができる。
【０１５２】
以下に、通信装置２が、広告宣伝媒体、チケット及び名刺として機能する場合を例に挙げて、本変形例に係る電子機器１の動作について説明する。
【０１５３】
＜通信装置の広告宣伝媒体としての使用＞
通信装置２が、図８に示されるように広告宣伝媒体として機能する場合を考える。この場合、制御部１００は、表示領域１１に表示される画面３５０（図１１参照）に対してユーザが所定の操作を行うことによって、破棄されない情報として、例えば、地図３５３、マーク３１０Ｍ，３５５Ｍ、経路３５４及び情報３５７が指定されると、これらの情報を記憶部１０３の不揮発性メモリに記憶する。そして、制御部１００は、近距離無線通信部１２０がＩＣチップ２０と通信できなくなった場合であっても、地図３５３、マーク３１０Ｍ，３５５Ｍ、経路３５４及び情報３５７を記憶部１０３から削除しない。これにより、電子機器１は、近距離無線通信部１２０がＩＣチップ２０と通信できるか否かにかかわらず、不揮発性メモリに保存された情報を利用することができる。例えば、制御部１００は、ユーザの表示指示に応じて、不揮発性メモリに保存された地図３５３、マーク３１０Ｍ，３５５Ｍ、経路３５４及び情報３５７を、図１１と同様に表示部１６０に表示させることができる。
【０１５４】
また、制御部１００は、表示領域１１に表示される画面３６０（図１２参照）に対してユーザが所定の操作を行うことによって、画面３６０に示されるセール品情報３３２が、破棄されない情報として指定されると、セール品情報３３２を記憶部１０３の不揮発性メモリに保存する。そして、制御部１００は、近距離無線通信部１２０がＩＣチップ２０と通信できなくなった場合であっても、セール品情報３３２を記憶部１０３から削除しない。制御部１００は、例えば、ユーザの表示指示に応じて、不揮発性メモリ内のセール品情報を表示部１６０に表示させる。
【０１５５】
＜通信装置のチケットとしての使用＞
通信装置２が、図１９に示されるようにチケットとして機能する場合を考える。この場合、制御部１００は、表示領域１１に表示される地図画面４５０（図２４参照）に対してユーザが所定の操作を行うことによって、破棄されない情報として園内地図４１１が指定されると、園内地図４１１を記憶部１０３の不揮発性メモリに保存する。そして、制御部１００は、近距離無線通信部１２０がＩＣチップ２０と通信できなくなった場合であっても、園内地図４１１を記憶部１０３から削除しない。制御部１００は、例えば、ユーザの表示指示に応じて、不揮発性メモリ内の園内地図４１１を表示部１６０に表示させる。
【０１５６】
また、制御部１００は、表示領域１１に表示される画面４９０（図２７参照）に対してユーザが所定の操作を行うことによって、画面４９０に示される園内地図４１１、マーク４９１Ｍ及び経路４９３が、破棄されない情報として指定されると、これらの情報を不揮発性メモリに保存する。そして、制御部１００は、近距離無線通信部１２０がＩＣチップ２０と通信できなくなった場合であっても、園内地図４１１、マーク４９１Ｍ及び経路４９３を記憶部１０３から削除しない。制御部１００は、例えば、ユーザの表示指示に応じて、不揮発性メモリ内の園内地図４１１、マーク４９１Ｍ及び経路４９３を、図２７と同様に表示部１６０に表示させる。
【０１５７】
＜通信装置の名刺としての使用＞
通信装置２が、図３７に示されるように名刺として機能する場合を考える。この場合、制御部１００は、表示領域１１に表示される画面７１０（図３８参照）に対してユーザが所定の操作を行うことによって、画面７１０に示される会社名７００、所属部署７０１、名前７０２、会社の電話番号７１２及び会社でのｅメールアドレス７１４が、破棄されない情報として指定されると、これらの情報を記憶部１０３の不揮発性メモリに保存する。例えば、制御部１００は、不揮発性メモリ内のアドレス帳にこれらの情報を登録する。これにより、ユーザは、会社名７００等を電子機器１に対して入力しなくても、これらの情報が電子機器１に登録される。そして、制御部１００は、近距離無線通信部１２０がＩＣチップ２０と通信できなくなった場合であっても、会社名７００、所属部署７０１、名前７０２、電話番号７１２及びｅメールアドレス７１４を記憶部１０３から削除しない。制御部１００は、例えば、不揮発性メモリ内のアドレス帳を表示部１６０に表示させるときに、会社名７００、所属部署７０１、名前７０２、電話番号７１２及びｅメールアドレス７１４を表示部１６０に表示させる。
【０１５８】
以上のように、本変形例では、制御部１００が、取得情報のうちユーザが指定する情報を破棄しないことから、電子機器１は、近距離無線通信部１２０がＩＣチップ２０と通信できるか否かにかかわらず、ユーザが指定する情報を利用することができる。
【０１５９】
また、制御部１００が、取得情報に基づいて生成した情報のうちユーザが指定する情報を破棄しないことから、電子機器１は、近距離無線通信部１２０がＩＣチップ２０と通信できるか否かにかかわらず、ユーザが指定する情報を利用することができる。
【０１６０】
なお、ＩＣチップ２０内の複数の情報のうちの一部は、電子機器１の記憶部１０３の不揮発性メモリに保存することができない保存禁止情報であっても良い。ＩＣチップ２０内に記憶されている記憶情報が、保存禁止情報である場合には、当該記憶情報にその旨が示される。制御部１００は、ＩＣチップ２０から取得された取得情報のうち、ユーザが指定する指定情報が、保存禁止情報である場合には、当該指定情報を記憶部１０３の不揮発性メモリに保存しない。この場合には、制御部１００は、近距離無線通信部１２０がＩＣチップ２０と通信できなくなった場合には、記憶部１０３内の保存禁止情報を破棄する。一方で、制御部１００は、ＩＣチップ２０から取得された取得情報のうち、ユーザが指定する指定情報が、保存禁止情報ではない場合には、当該指定情報を記憶部１０３の不揮発性メモリに保存する。
【０１６１】
＜その他の変形例＞
上記の例では、電子機器１は、スマートフォン等の携帯電話機であったが、他の種類の電子機器であっても良い。電子機器１は、例えば、タブレット端末、パーソナルコンピュータ、ウェアラブル機器などであっても良い。
【０１６２】
以上のように、電子機器１及び通信装置２は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１６３】
１  電子機器
２０  ＩＣチップ
１００  制御部（制御装置）
１３０  表示部
【図１】
0006674782.tif 000002
【図２】
0006674782.tif 000003
【図３】
0006674782.tif 000004
【図４】
0006674782.tif 000005
【図５】
0006674782.tif 000006
【図６】
0006674782.tif 000007
【図７】
0006674782.tif 000008
【図８】
0006674782.tif 000009
【図９】
0006674782.tif 000010
【図１０】
0006674782.tif 000011
【図１１】
0006674782.tif 000012
【図１２】
0006674782.tif 000013
【図１３】
0006674782.tif 000014
【図１４】
0006674782.tif 000015
【図１５】
0006674782.tif 000016
【図１６】
0006674782.tif 000017
【図１７】
0006674782.tif 000018
【図１８】
0006674782.tif 000019
【図１９】
0006674782.tif 000020
【図２０】
0006674782.tif 000021
【図２１】
0006674782.tif 000022
【図２２】
0006674782.tif 000023
【図２３】
0006674782.tif 000024
【図２４】
0006674782.tif 000025
【図２５】
0006674782.tif 000026
【図２６】
0006674782.tif 000027
【図２７】
0006674782.tif 000028
【図２８】
0006674782.tif 000029
【図２９】
0006674782.tif 000030
【図３０】
0006674782.tif 000031
【図３１】
0006674782.tif 000032
【図３２】
0006674782.tif 000033
【図３３】
0006674782.tif 000034
【図３４】
0006674782.tif 000035
【図３５】
0006674782.tif 000036
【図３６】
0006674782.tif 000037
【図３７】
0006674782.tif 000038
【図３８】
0006674782.tif 000039